(57)【要約】【課題】画像の読み込み状況、画像記録の状況、スキャンの読み取り状況を、ＬＣＤに表示させ、これによって、ユーザの使い勝手を向上させることができる画像記録装置を提供することを目的とする。【解決手段】画像入力手段と、画像表示手段と、画像記録手段とを具備する画像記録装置において、上記画像入力手段が読み取った画像を、読み取った解像度よりも低解像度に変換する解像度変換手段を有する。また、上記低解像度に変換された画像を、上記画像表示手段に順次表示し、読み取り状況に合わせて、表示内容を更新する表示制御手段を有する。【選択図】図３
2009017424.tif 000002
【特許請求の範囲】
【請求項１】
画像入力手段と、画像表示手段と、画像記録手段とを具備する画像記録装置において、
上記画像入力手段が読み取った画像を、読み取った解像度よりも低解像度に変換する解像度変換手段と；
上記低解像度に変換された画像を、上記画像表示手段に順次表示し、読み取り状況に合わせて、表示内容を更新する表示制御手段と；
を有することを特徴とする画像記録装置。
【請求項２】
請求項１において、
上記画像表示手段は、上記入力手段が実際に読み取った画像を低解像度で表示する手段であることを特徴とする画像記録装置。
【請求項３】
画像入力手段と、画像表示手段と、画像記録手段とを具備する画像記録装置において、
上記画像入力手段が読み取った画像を、読み取った解像度よりも低解像度に変換する解像度変換手段と；
上記低解像度に変換された画像を記憶する記憶手段と；
画像記録に要する実際の所要時間を計測する計時手段と；
上記計時手段が計測した時間に基づいて、印刷所要時間を予測し、記録状況に連動して、低解像度画像を上記記憶手段から順次読み出し、上記画像表示手段に転送し、表示を更新する制御手段と；
を有することを特徴とする画像記録装置。
【請求項４】
請求項３において、
上記画像表示手段は、実際に読み取った画像を低解像度で表示する手段であることを特徴とする画像記録装置。
【請求項５】
画像入力手段と、画像表示手段と、画像記録手段とを具備する画像記録装置の制御方法において、
上記画像入力手段が読み取った画像を転送する転送工程と；
上記画像入力手段が読み取った画像を、読み取った解像度よりも低解像度に変換する解像度変換工程と；
上記低解像度に変換された画像を、上記画像表示手段に順次表示し、読み取り状況に合わせて、表示内容を更新する表示制御工程と；
を有することを特徴とする画像記録装置の制御方法。
【請求項６】
画像入力手段と、画像表示手段と、画像記録手段とを具備する画像記録装置の制御方法において、
上記画像入力手段が読み取った画像を転送する転送工程と；
上記画像入力手段が読み取った画像を、読み取った解像度よりも低解像度に変換する解像度変換工程と；
上記低解像度に変換された画像を記憶手段に記憶する記憶工程と；
画像記録に要する実際の所要時間を計測する計時工程と；
上記計時工程で計測された時間に基づいて、印刷所要時間を予測し、記録状況に連動して、低解像度画像を上記記憶手段から順次読み出し、上記画像表示手段に転送し、表示内容を更新する表示制御工程と；
を有することを特徴とする画像記録装置の制御方法。
【発明の詳細な説明】
【技術分野】
【０００１】
本発明は、スキャナ等の画像入力装置と、装置の操作を行うための表示装置と、プリンタ等の画像出力装置とを、効率的に制御する複合機器の制御方法に関する。
【背景技術】
【０００２】
従来の画像記録装置は、プリンタ、複写機、ファクシミリ等の機能を有し、また、コンピュータやワードプロセッサ等を含む複合機や、ワークステーションの出力機器として用いられている。
【０００３】
この画像記録装置は、画像情報に基づいて、用紙やプラスチック薄板（ＯＨＰ用シート）等の被記録材（記録媒体）に、画像（文字や記号等も含む）を記録する。また、上記画像記録装置は、採用されている画像形成プロセスによって、インクジェット式、ワイヤドット式、感熱式、熱転写式、レーザビーム式等に分けることができる。
【０００４】
被記録材の搬送方向（副走査方向）と交叉する方向に主走査する記録方式を採るシリアルタイプの画像記録装置は、被記録材を所定の記録位置にセットした後に、被記録材に沿って移動（主走査）するキャリッジ上に搭載した記録手段によって画像を記録する。上記記録手段は、記録ヘッドであり、上記記録する画像は、文字や記号等を含む画像である。
【０００５】
１行分の記録を終了した後に、所定量の紙送り（副走査）を行い、その後に、次の行の画像を記録（主走査）するという動作を繰り返すことによって、被記録材の所望範囲に画像を記録する。
【０００６】
一方、被記録材を搬送方向に送る副走査のみで記録するラインタイプまたはページ記録タイプの画像記録装置では、被記録材を所定の記録位置にセットし、一括して１行分または１ページ分の記録を連続的に行いながら、所定量の紙送り（ピッチ送り）を行う。これによって、被記録材の全体に画像が記録される。
【０００７】
上記画像記録装置のうちで、インクジェット式（インクジェット記録装置）は、記録手段から被記録材にインクを吐出して記録する装置であり、記録手段のコンパクト化が容易であり、高精細な画像を高速で記録することができる。また、普通紙に特別の処理を必要とせずに記録することができ、ランニングコストが安く、ノンインパクト方式であるので騒音が少なく、しかも、多色のインクを使用してカラー画像を記録することが容易である。殊に、紙幅方向に多数の吐出口を配列したラインタイプの記録手段を使用するライン型の記録装置では、記録を一層、高速化することができる。
【０００８】
特に、熱エネルギーを利用してインクを吐出するインクジェット式の記録手段（記録ヘッド）は、エッチング、蒸着、スパッタリング等の半導体製造プロセスを経て、基板上に製膜された電気熱変換体、電極、液路壁、天板等を形成する。これによって、高密度の液路配置（吐出口配置）を有するものを容易に製造することができ、一層のコンパクト化を図ることができる。
【０００９】
また、ＩＣ技術やマイクロ加工技術の長所を活用することによって、記録手段の長尺化や面状化（２次元化）が容易であり、記録手段のフルマルチ化と高密度実装化とが容易である。一方、被記録材の材質に対する要求も様々であり、近年では、通常の被記録材である紙や樹脂薄板等の他に、薄紙や加工紙等（ファイリング用のパンチ孔付き紙やミシン目付き紙、任意な形状の紙等）を使用することが要求されている。
【００１０】
上記画像記録装置を含む画像記録システムとして、ホストコンピュータ等のホスト機器から転送されたデータを、記録ヘッドを用いて、被記録材に記録するシステムが知られている。この画像記録システムにおいて、ホスト機器と画像記録装置とを接続するインタフェースとしては、一般的に、ＵＳＢインタフェースが採用されている。
【００１１】
ところで、最近、ユーザフレンドリーな画像記録システムの構築を目的として、紙無しや紙ジャム等の記録装置のステータス（特定の状態）を示す信号をホストコンピュータに送信し、上記ステータスをホストコンピュータの画面上に表示させる。このために、ＵＳＢインタフェースを採用した画像記録システムが提案されている。このようなＵＳＢインタフェースを採用した記録装置から送信する最も有効なステータス信号として、記録終了までの予測時間を示す信号がある。
【００１２】
そして、記録終了時刻を正確に予測する画像記録装置が知られている（たとえば、特許文献１参照）。この画像記録装置は、ホスト機器と画像記録装置とがＵＳＢインタフェースで接続されている記録システムにおいて、記録装置側に、記録基本単位毎に、実所要時間を計測する計時手段と、その計測結果をホスト機器に転送する転送手段とを有する。また、ホスト機器側に、記録所要時間を予測して上記記録所要時間を表示する表示手段と、計時手段の計測結果から予測時間を見直し、表示手段の表示時刻を変更する補正手段とを有し、記録終了時間を正確に予測する。
【００１３】
また、上記記録基本単位は、１ラインまたは１ページ、または１ラインかつ１ページとし、上記表示手段のＣＲＴ上に表示される記録所要時間を、１秒毎に減算表示し、上記表示手段のＣＲＴ上に表示される記録所要時間は時刻である。なお、上記記録所要時間は、記録終了までの残り時間である。
または、上記画像記録装置として、記録手段から被記録材へインクを吐出して記録するインクジェット記録装置とすることによって、一層効率よく、記録終了時刻を正確に予測する。
【特許文献１】特開平８−１２３８０４号公報
【発明の開示】
【発明が解決しようとする課題】
【００１４】
従来の画像記録装置等では、ＵＳＢインタフェースを介して、記録終了時刻を、ホスト側に表示するので、画像記録装置のみで表示することができないという問題がある。
【００１５】
また、上記従来例では、表示される情報は、記録所要時間のみであるので、スキャン、コピー時に、実際に画像が取り込まれているかどうかをユーザが判別することができないという問題がある。
【００１６】
さらに、上記従来例では、スキャン動作において、読み取っている状況をユーザが分からない場合、特に高解像度で読み取っているときに、読み取り時間がかかるので、ユーザが誤って圧板を開けると、エラーであると認識されるという問題がある。
【００１７】
そして、上記従来例では、コピー時、カードダイレクト、デジカメ等の印字中において、印刷ジョブの進行状況をユーザが把握することができないという問題がある。
【００１８】
本発明は、画像の読み込み状況、画像記録の状況、スキャンの読み取り状況を、ＬＣＤに表示させ、これによって、ユーザの使い勝手を向上させることができる画像記録装置を提供することを目的とする。
【課題を解決するための手段】
【００１９】
本発明は、画像入力手段と、画像表示手段と、画像記録手段とを具備する画像記録装置において、上記画像入力手段が読み取った画像を転送する転送手段を有する。また、本発明は、上記画像入力手段が読み取った画像を、読み取った解像度よりも低解像度に変換する解像度変換手段と、上記低解像度に変換された画像を、上記画像表示手段に順次表示し、読み取り状況に合わせて、表示内容を更新する表示制御手段とを有する。
【発明の効果】
【００２０】
本発明によれば、ホストＰＣがなくても、画像記録装置本体上のＬＣＤ上で、ＰＣスキャン動作の進行状態を確認することができるという効果を奏する。
【発明を実施するための最良の形態】
【００２１】
発明を実施するための最良の形態は、次の実施例である。
【実施例１】
【００２２】
図１は、本発明の実施例１である画像処理システムを構成する画像記録装置１００の概略構成を示すブロック図である。
【００２３】
画像記録装置１００は、データ端末装置１と、コントロールパネル部４と、Ｍａｉｎ電源５と、プリンタ部６と、スキャナ部７と、回線インタフェース部８と、ハンドセット８１とを有する。
【００２４】
データ端末装置１は、ＣＰＵ（Ｃｅｎｔｒａｌ  Ｐｒｏｃｅｓｓｉｎｇ  Ｕｎｉｔ）等を具備して動作し、他の各ユニット部の動作を制御する。コントロールパネル部４は、ユーザからの指示を受け付ける等、ユーザインタフェースであり、キーやＬＥＤ、ＬＣＤ等の表示器を有する。
【００２５】
スキャナ部７は、原稿を読み取るための光電変換を行うＣＩＳコンタクトイメージセンサまたはＣＣＤリニアイメージセンサと、ＣＣＤリニアイメージセンサ用の光源（不図示）とを有する。スキャナ部７は、読み取った画像を二値化し、必要に応じて、画像処理を行う画像処理ＬＳＩ等を有する読取部の例であり、図示しない原稿搬送系も有する。
【００２６】
プリンタ部６は、シリアルタイプのインクジェット記録装置であり、コピー画像と、受信画像と、外部入力画像とを記録する。記録を行うための記録ヘッドは、熱エネルギーを利用してインクを吐出するインクジェット記録手段であり、熱エネルギーを発生するための電気熱変換体を有する。また、上記記録ヘッドは、電気熱変換体が発生する熱エネルギーによって生じる膜沸騰が、気泡を成長、収縮し、これによって生じる圧力変化を利用し、吐出口からインクを吐出し、記録する。
【００２７】
回線インタフェース部８は、通信すべきデータの変復調を行うモデムと通信回線とのインタフェースを行うＮＣＵ（Ｎｅｔｗｏｒｋ  Ｃｏｎｔｒｏｌ  Ｕｎｉｔ）とによって構成され、電話回線９と接続されている。また、回線インタフェース部８は、電話回線９を介して、各種データ等を送受信し、また、ハンドセット８１を利用した通話を行う際に、音声信号を送受信する。
【００２８】
上記各ユニット部は、Ｍａｉｎ電源５から給電を受け、動作する。また、データ端末装置１には、ＰＣ等で構成されているＨＯＳＴ２が、ＵＳＢケーブル３を介して、接続されている。このＵＳＢケーブル３を介してデータ端末装置１とＨＯＳＴ２との間で、データの授受が行われる。なお、ＵＳＢは、Ｕｎｉｖｅｒｓａｌ  Ｓｅｒｉａｌ  Ｂｕｓである。
【００２９】
次に、実施例１における動作について説明する。
【００３０】
図２は、画像記録装置１００を構成する各部分を具体的に示すブロック図である。
【００３１】
データ端末装置１は、ＣＰＵによって構成されている制御部１１と、ＣＰＵを動作させるプログラムを格納するとともに、その作業領域として使用されるメモリ１２と、ＵＳＢケーブル３を接続するＵＳＢインタフェース（Ｉ／Ｆ）１３とを有する。また、データ端末装置１は、各ユニット間で授受されるデータや信号等を伝達するデータバス１４を有する。
【００３２】
コントロールパネル部４は、ユーザによるキー入力の有無を検出するキー入力検出回路４１と、ユーザによる動作状態の選択、動作状況を表示するＬＣＤ表示部４２と、ＬＣＤ表示部を制御するＬＣＤコントローラ４３とを有する。
【００３３】
スキャナ部７は、原稿を読み取るための光電変換を行う読み取りセンサ７２と、読み取りセンサ用の光源７３と、読み取りセンサを原稿に沿って移動させるモータとモータ制御部とを具備するモータ制御部／モータ７１とを有する。
【００３４】
回線インタフェース部８は、電話回線９からのリング信号を検出するリング信号検出回路８２とハンドセット８１のオフフック状態を検出するオフフック検出回路８３とを具備している。リング信号検出回路８２は、電話回線９からのリング信号を検出し、オフフック検出回路８３は、ハンドセット８１のオフフック状態を検出する。
【００３５】
まず、ＰＣスキャン時の動作について説明する。
【００３６】
図３は、実施例１において、ＰＣスキャンの制御手順を示すフローチャートである。
【００３７】
画像記録装置１００の電源が投入されると、Ｓ１で、スキャナ部７のモータ制御部７１は、スキャナモータを駆動し、移動させながら、光源７３は、光源を点灯し、スキャナのホームポジションを検出する。ホームポジションが検出されると、Ｓ２で、プリンタ部６を初期設定する。
【００３８】
Ｓ３で、オンライン状態になると、画像記録装置１００は、ジョブ待ちであるスタンバイ状態になる。Ｓ４で、コントロールパネル部４を介して、ＰＣスキャンが、選択されると、スキャン動作を開始する。スキャンを行う場合、Ｓ５で、光源７３が光源を点灯し、白シェーディングデータを取得し、メモリ１２にストアし、光源７３が、光源を消灯し、黒シェーディングデータを取得し、メモリ１２にストアする。
【００３９】
シェーディングデータを取得すると、Ｓ６で、スキャナ部７は、原稿台に置かれている原稿の読み取りを開始する。Ｓ７で、読み取られた画像データは、データバス１４を介して、メモリ１２にストアされる。これと同時に、読み取った画像データを、制御部１１が低解像度に変換し、低解像度データとして、メモリ１２にストアする。
【００４０】
Ｓ８で、ストアされた低解像度データを、データバス１４を介して、コントロールパネル部４のＬＣＤ表示部４２に、直ちに表示し、ＰＣスキャンの読み取り状況を表示する。Ｓ９で、ＰＣスキャンの読み取り状況に合わせるために、ＬＣＤ表示部４２に表示されている表示画像を更新する。読み取ったスキャンデータは、メモリ１２から読み出され、データバス１４を介して、ＵＳＢ  Ｉ／Ｆ部１３から、ＵＳＢケーブル３を介して、ＨＯＳＴ２に転送される。
【００４１】
上記Ｓ７〜Ｓ９の動作を、ＰＣスキャン動作が終了するまで、繰り返し実行する（Ｓ１０）。このように制御することによって、実際に読み取った画像データを読み取ったデータに基づいて、ＰＣスキャンの動作状況が、低解像度でＬＣＤに表示される。また、低解像度で読み込まれた原稿画像を、ＬＣＤ表示するので、実際に原稿がきちんと読み込まれているかどうかを逐次、確認することができる。
【００４２】
次に、実施例１におけるコピー時の動作について説明する。
【００４３】
図４−１、図４−２は、実施例１におけるコピーの制御手順を示すフローチャートである。
【００４４】
画像記録装置１００の電源が投入されると、Ｓ１で、スキャナ部７のモータ制御部７１は、スキャナモータを駆動し、移動させながら、光源７３は、光源を点灯し、スキャナのホームポジションを検出する。ホームポジションが検出されると、Ｓ２で、プリンタ部６を初期設定する。Ｓ３で、オンライン状態になると、画像記録装置１００は、ジョブ待ちであるスタンバイ状態になる。
【００４５】
Ｓ１４で、コントロールパネル部４を介して、コピーが選択されると、Ｓ１５で、コピーの動作モード（用紙サイズ、画像品位等）を設定する。動作モードが選択されると、Ｓ１６で、選択されたモードに応じて、記録に要する時間を算出する。この後に、Ｓ１７で、コピー動作を開始し、Ｓ１８で、コピー動作を実行する。
【００４６】
コピーする場合、原稿を読み込むためのスキャンを行う前に、Ｓ１９で、光源７３は、光源を点灯し、Ｓ２０で、白シェーディングデータを取得する。そして、この取得した白シェーディングデータをメモリ１２にストアし、光源７３は、光源を消灯し、黒シェーディングデータを取得し、この取得した黒シェーディングデータをメモリ１２にストアする。
【００４７】
シェーディングデータを取得すると、Ｓ２０で、スキャナ部７は、原稿台に置かれている原稿の読み取りを開始する。Ｓ２０で画像の読み込みが開始されると、Ｓ２１で、読み取られた画像データは、データバス１４を介して、メモリ１２にストアされる。これと同時に、読み取った画像データを、制御部１１が低解像度に変換し、低解像度データとして、メモリ１２にストアする。
【００４８】
プリンタ部６は、Ｓ２２で、記録紙を給紙し、Ｓ２３で、制御部１１内部の計時手段のタイマをスタートさせ、経過時間のカウントを開始し、次いで、必要に応じて、記録ヘッドの記録動作を正常に保つための回復動作を行う。回復動作を終了した後に、記録動作を行う。上記回復動作として、インクジェット記録装置の場合、記録ヘッドの吐出口からインクを吸引する動作が採用されている。Ｓ２４で、１ライン分の記録を実行する。このときに、必要であれば、指定量だけを紙送りする（被記録材を搬送する）。
【００４９】
Ｓ２５で、タイマストップし、Ｓ２６で、記録終了エリアの低解像度画像をＬＣＤに表示し、Ｓ２７で、メモリに計測結果をライトし、Ｓ２８で、低解像度画像を記録に対応して表示する。
【００５０】
また、必要に応じて、記録ヘッドの全吐出口から、回復装置のキャップ内へインクを吐出する予備吐出を行う。このような動作を終了した後に、Ｓ２９で、上記紙送りや予備吐出を含む１ライン記録時間を、メモリ１２にストアする。
【００５１】
制御部１１は、上記した１ラインの記録所要実時間を、メモリ１２から読み出すと、Ｓ１６で算出したＣｏｐｙ動作終了までの記録所要時間と、記録が完了したライン分の画像（記録所要実時間）とに基づいて、記録動作の進行状況を算出する。この算出した結果に基づいて、低解像度の画像データを読み出し、Ｓ２８で、記録の状況をＬＣＤ表示部４２に表示し、これによって、Ｃｏｐｙ動作の進捗状況をＬＣＤに表示する。
【００５２】
記録装置は、１ページの記録が終了するまで、上記処理Ｓ２１〜Ｓ２８を繰り返し実行し（Ｓ２９）、１ライン記録する毎に、Ｓ２８で、ＬＣＤ表示部４２に表示されている低解像度の画像データを書き換え、ＬＣＤ表示する。そして、１頁終了する毎に、Ｓ３０で排紙する。
【００５３】
図５は、画像記録装置１００で使用するのに好適な記録装置の一実施例を示す模式的斜視図である。
【００５４】
図５は、画像記録装置がシリアルタイプのインクジェット記録装置である場合を示す。図５において、記録用紙やプラスチック薄板等の被記録材５０１をバックアップするプラテン５０２の前方には、これと平行に設置されているガイドレール５０３、５０４に沿って、左右に往復移動可能に案内支持されているキャリッジ５０５が設けられている。
【００５５】
キャリッジ５０５には、ホストコンピュータ等のホスト機器から転送されてくる記録データに従って、シート状の被記録材５０１に画像を記録する記録ヘッド５０６が搭載されている。この記録ヘッド５０６の前面（被記録材５０１と対面する吐出口面）には、縦方向に複数（たとえば６４個）の吐出口が配列されている。キャリッジ５０５は、キャリッジモータ５０７によって回転駆動されるモータプーリ５０８と、その反対側に軸支されている従動プーリ５０９とに巻回されているタイミングベルト５１０に連結されている。また、キャリッジ５０５は、キャリッジモータ５０７の回転により主走査方向（両矢印Ｆ方向）に往復移動する。そして、この主走査移動の間に、記録ヘッド５０６を記録データに基づいて駆動することによって、被記録材５０１上に、１ライン分の画像が記録される。
【００５６】
ペーパーパン５１１に沿って挿入された被記録材５０１は、搬送モータ（紙送りモータ）５１２によって回転駆動される不図示の搬送ローラ（紙送りローラ）によって、記録ヘッド５０６とプラテン５０２との間の記録部へ送り込まれる。この記録部へ送り込まれる被記録材５０１は、紙押さえ板５１３によって、プラテン（固定式の平プラテン）５０２に密着されている。記録部を通過した被記録材５０１は、搬送ローラ（不図示）と同期駆動される排紙ローラ５１４及びローラ５１５によって搬送され、排紙される。
【００５７】
上記記録ヘッド（記録手段）５０６は、熱エネルギーを利用してインクを吐出するインクジェット記録手段であり、熱エネルギーを発生するための電気熱変換体を備えている。
また、記録ヘッド５０６は、上記電気熱変換体によって印加される熱エネルギーによって生じる膜沸騰による気泡の成長、収縮によって生じる圧力変化を利用し、吐出口からインクを吐出させ、記録するものである。
【００５８】
図６は、記録ヘッド５０６におけるインク吐出部の構造を模式的に示す部分斜視図である。
【００５９】
図６において、被記録材５０１（図５）と所定の隙間（たとえば、約０．５〜２．０ミリ程度）をおいて対面する吐出口面６０１には、所定のピッチで複数の吐出口６０２が形成されている。共通液室６０３と吐出口６０２のそれぞれとを連通する液路６０４のそれぞれの壁面に沿って、インク吐出用のエネルギーを発生するための電気熱変換体（発熱抵抗体など）６０５が配設されている。本例において、記録ヘッド５０６は、吐出口６０２がキャリッジ５０５の走査方向と交叉する方向に並ぶような位置関係で、キャリッジ５０５に搭載されている。このようにして、画像信号または吐出信号に基づいて、対応する電気熱変換体６０５を駆動（通電）し、液路６０４内のインクを膜沸騰させ、その時に発生する圧力によって、吐出口６０２からインクを吐出させる記録ヘッド５０６が構成されている。
【００６０】
図５に示すように、記録ヘッド５０６の記録範囲を外れた所定位置に設定されているホームポジションには、回復装置５１６が配設されている。回復装置５１６は、記録ヘッド５０６の吐出口面６０１に密着離反するように移動可能なキャップ５１７と、該キャップに接続されているインク吸引手段（負圧吸引ポンプ等）とを備えている。
【００６１】
記録に際して、キャリッジ５０５の移動（主走査）に伴い、ガイドレール５０４と平行に設置されている不図示のリニアエンコーダから出力される信号に同期して、記録ヘッド５０６のインク吐出手段を記録データに基づいて駆動する。そして、対応する吐出口６０２から吐出され、飛翔するインク滴を、被記録材５０１に着弾させることによって、ドットパターンから成る画像を記録する。
【００６２】
キャリッジ５０５の主走査によって１ライン分の記録が終了すると、搬送モータ５１２によって搬送ローラ（不図示）を所定量だけ回転させる。これによって、被記録材５０１を１ライン分だけ紙送り（副走査）し、そして、上記のように、キャリッジ５０５の移動に同期して、記録ヘッド５０６を記録データに基づいて駆動する。これによって、次のラインを記録する。以下、上記の副走査（紙送り）及び主走査（記録）を繰り返し実行することによって、被記録材５０１全体の記録が行われる。記録終了後に、記録ヘッド５０６はホームポジションに停止させられ、回復装置５１６のキャップ５１７を記録ヘッド５０６の吐出口面６０１に密着させ、吐出口６０２を密封（キャッピング）する。
【００６３】
上記実施例によれば、ホストＰＣがなくても、画像記録装置本体上のＬＣＤ上で、コピー動作の進行状態を確認することができる。
【００６４】
また、高解像度設定時のＰＣスキャン動作では、読み取り時間がかかり、また、装置本体の稼動音が低いので、装置が正常に動作しているかどうかを、ユーザが判別できない。この場合、上記実施例によれば、実際に読み込んだ画像を、ＰＣスキャン動作の進行状況に連動して、低解像度でＬＣＤ表示するので、きちんと読み取りができていることを、ユーザが確認できる。
【００６５】
また、上記実施例によれば、コピー時にも、上記スキャン動作と同様に、スキャナで読み取った実際の画像印刷の状況に連動して画像表示するので、コピー動作の進行状況を、ユーザが容易に確認することができる。
【００６６】
つまり、上記実施例は、画像入力手段と、画像表示手段と、画像記録手段とを具備する画像記録装置において、上記画像入力手段が読み取った画像を、読み取った解像度よりも低解像度に変換する解像度変換手段を有する。また、上記実施例は、上記低解像度に変換された画像を、上記画像表示手段に順次表示し、読み取り状況に合わせて、表示内容を更新する表示制御手段を有する。この場合、上記実施例において、上記画像表示手段は、上記入力手段が実際に読み取った画像を低解像度で表示する手段である。
【００６７】
これによって、ＰＣスキャン時の動作の進行状況と、読み取った原稿がきちんと読み取られていることを確認することができる。
【００６８】
また、上記実施例は、画像入力手段と、画像表示手段と、画像記録手段とを具備する画像記録装置において、上記画像入力手段が読み取った画像を、読み取った解像度よりも低解像度に変換する解像度変換手段を有する。さらに、上記実施例は、上記低解像度に変換された画像を記憶する記憶手段と、画像記録に要する実際の所要時間を計測する計時手段とを有する。しかも、上記実施例は、上記計時手段が計測した時間に基づいて、印刷所要時間を予測し、記録状況に連動して、低解像度画像を上記記憶手段から順次読み出し、上記画像表示手段に転送し、表示を更新する制御手段を有する画像記録装置である。この場合、上記画像表示手段は、実際に読み取った画像を低解像度で表示する手段である。
【００６９】
これによって、コピー動作時に、記録の進行状況を確認することができる。
【００７０】
つまり、上記実施例は、画像入力手段と、画像表示手段と、画像記録手段とを具備する画像記録装置の制御方法において、上記画像入力手段が読み取った画像を、読み取った解像度よりも低解像度に変換する解像度変換工程を有する。さらに、上記実施例は、上記低解像度に変換された画像を、上記画像表示手段に順次表示し、読み取り状況に合わせて、表示内容を更新する表示制御工程を有する画像記録装置の制御方法の例である。
【００７１】
また、上記実施例は、画像入力手段と、画像表示手段と、画像記録手段とを具備する画像記録装置の制御方法において、上記画像入力手段が読み取った画像を、読み取った解像度よりも低解像度に変換する解像度変換工程を有する。さらに、上記実施例は、上記低解像度に変換された画像を記憶手段に記憶する記憶工程と、画像記録に要する実際の所要時間を計測する計時工程とを有する。そして、上記実施例は、上記計時工程で計測された時間に基づいて、印刷所要時間を予測し、記録状況に連動して、低解像度画像を上記記憶手段から順次読み出し、上記画像表示手段に転送し、表示内容を更新する表示制御工程を有する。
【図面の簡単な説明】
【００７２】
【図１】本発明の実施例１である画像処理システムを構成する画像記録装置１００の概略構成を示すブロック図である。
【図２】画像記録装置１００を構成する各部分を具体的に示すブロック図である。
【図３】実施例１において、ＰＣスキャンの制御手順を示すフローチャートである。
【図４−１】実施例１におけるコピーの制御手順を示すフローチャートである。
【図４−２】実施例１におけるコピーの制御手順を示すフローチャートである。
【図５】画像記録装置１００で使用するのに好適な記録装置の一実施例を示す模式的斜視図である。
【図６】記録ヘッド５０６のインク吐出部の構造を模式的に示す部分斜視図である。
【符号の説明】
【００７３】
１００…画像記録装置、
１…データ端末装置、
２…ＨＯＳＴ、
３…ＵＳＢケーブル、
４…コントロールパネル部、
５…Ｍａｉｎ電源、
６…プリンタ部、
７…スキャナ部、
１１…制御部、
１２…メモリ、
１３…ＵＳＢインタフェース、
１４…データバス、
４１…キー入力検出回路、
４２…ＬＣＤ表示部、
４３…ＬＣＤコントローラ、
７１…モータ制御部／モータ、
７２…読み取りセンサ、
７３…光源。
【図１】
2009017424.tif 000003
【図２】
2009017424.tif 000004
【図３】
2009017424.tif 000005
【図４−１】
2009017424.tif 000006
【図４−２】
2009017424.tif 000007
【図５】
2009017424.tif 000008
【図６】
2009017424.tif 000009